(57)【要約】【課題】  任意に傾斜させた丸鋸刃の切断位置を確認することができる丸鋸を提供する。【解決手段】  本発明の丸鋸は、ベース１と、ベース１上に回転可能に設けられる丸鋸刃３と、ベース１の底面１ａと直交し且つ丸鋸刃３の回転中心線３ａが含まれる基準面Ｐに沿って、丸鋸刃３を傾斜させるための傾斜機構６，７，９と、基準位置に対する丸鋸刃３の位置を、丸鋸刃３の傾斜に連動して表示する位置表示部１５とを備える。【選択図】  図３
2005074797.tif 000002
【特許請求の範囲】
【請求項１】
ベースと、
ベース上に回転可能に設けられる丸鋸刃と、
ベースの底面と直交し且つ丸鋸刃の回転中心線が含まれる基準面に沿って、前記丸鋸刃を傾斜させるための傾斜機構と、
基準位置に対する丸鋸刃の位置を、丸鋸刃の傾斜に連動して表示する位置表示部とを備えることを特徴とする丸鋸。
【請求項２】
前記丸鋸はさらに、
基準角度に対する丸鋸刃の角度を、丸鋸刃の傾斜に連動して表示する角度表示部を備えることを特徴とする請求項１に記載の丸鋸。
【請求項３】
前記位置表示部は、前記丸鋸刃と共に傾斜する傾斜部材、及び前記ベースに固定される角度調整板の一方に設けられた指針と、他方に設けられた位置表示目盛とを有することを特徴とする請求項１又は２に記載の丸鋸。
【請求項４】
前記ベースは底面と直交する側面を有し、
前記位置表示部は、前記側面から丸鋸刃までの距離を表示することを特徴とする請求項１ないし３いずれかに記載の丸鋸。
【発明の詳細な説明】
【技術分野】
【０００１】
本発明は、丸鋸に関し、特に傾斜機構を備えた丸鋸に関する。
【背景技術】
【０００２】
建築物を新築するよりもリフォームして長く使用することが増えてきている。リフォームの一環として建築物の床を張り替えることがある。床を張り替えるのにあたり壁際の床面をあらかじめ切断する必要がある。床面を切断する作業には際切断用の丸鋸が使用される。際切断用の丸鋸には、壁際の床を切断できるようにベースに対し丸鋸刃を傾斜させる（際切断用の丸鋸については特許文献１参照）。
【０００３】
一般的な丸鋸にもベースに対し丸鋸刃を傾斜させることができる傾斜機構が設けられることがある。このような丸鋸のベースには、丸鋸刃の位置を知るために例えば２箇所の切欠きが形成される。一つの切欠きは丸鋸刃をベースに対して直交させた場合の丸鋸刃の位置を知るための目印で、もう一つの切欠きは丸鋸刃をベースに対して例えば４５度傾斜させた場合の丸鋸刃の位置を知るための目印である。
【０００４】
【特許文献１】特開２００２−１２０２０２号公報
【発明の開示】
【発明が解決しようとする課題】
【０００５】
傾斜機構で丸鋸刃を傾斜させると、丸鋸刃の切断位置が変化する。従来の際切断用の丸鋸にあっては、丸鋸刃をカバーで完全に覆う構成を採っていたこともあり、傾斜させたときの丸鋸の切断位置が不明になっていた。また一般的な丸鋸にあっても、ベースには２箇所の切欠きが形成されているのみで、任意に傾斜させた丸鋸の切断位置は不明になっていた。
【０００６】
そこで本発明は、傾斜させた丸鋸刃の切断位置を確認することができる丸鋸を提供することを目的とする。
【課題を解決するための手段】
【０００７】
請求項１の発明は、ベース（１）と、ベース（１）上に回転可能に設けられる丸鋸刃（３）と、ベース（１）の底面（１ａ）と直交し且つ丸鋸刃（３）の回転中心線（３ａ）が含まれる基準面（Ｐ）に沿って、前記丸鋸刃（３）を傾斜させるための傾斜機構（６，７，９）と、基準位置に対する丸鋸刃（３）の位置を、丸鋸刃（３）の傾斜に連動して表示する位置表示部（１５）とを備えることを特徴とする丸鋸により、上述した課題を解決する。
【０００８】
請求項２の発明は、請求項１に記載の丸鋸において、前記丸鋸はさらに、基準角度に対する丸鋸刃（３）の角度を、丸鋸刃（３）の傾斜に連動して表示する角度表示部（１７）を備えることを特徴とする。
【０００９】
請求項３の発明は、請求項１又は２に記載の丸鋸において、前記位置表示部（１５）は、前記丸鋸刃（３）と共に傾斜する傾斜部材（１０）、及び前記ベース（１）に固定される角度調整板（６）の一方に設けられた指針（１４）と、他方に設けられた位置表示目盛（１３）とを有することを特徴とする。
【００１０】
請求項４の発明は、請求項１ないし３いずれかに記載の丸鋸において、前記ベース（１）は底面（１ａ）と直交する側面（１ｂ）を有し、前記位置表示部（１５）は、前記側面（１ｂ）から丸鋸刃（３）までの距離（Ｘ）を表示することを特徴とする。
【発明の効果】
【００１１】
請求項１の発明によれば、位置表示部が基準位置に対する丸鋸刃の位置を丸鋸刃の傾斜に連動して表示するので、任意に傾斜させた丸鋸刃の切断位置を確認することができる。
【００１２】
請求項２の発明によれば、角度表示部が基準角度に対する丸鋸刃の角度を丸鋸刃の傾斜に連動して表示するので、任意に傾斜させた丸鋸刃の角度を確認することができる。
【００１３】
請求項３の発明によれば、簡単な構造で丸鋸刃の位置を表示させることができる。
【００１４】
請求項４の発明によれば、ベースの側面からの丸鋸刃の距離がわかるので、例えば壁からの丸鋸刃の切断位置を確認することができる。
【発明を実施するための最良の形態】
【００１５】
図１ないし図３は本発明の一実施形態における丸鋸を示す。図１は平面図、図２は正面図、図３は側面図を示す。本実施形態の丸鋸は、主に建築物の壁面に沿って床面を切断するのに使用され、基本構成として、ベース１、駆動ユニット２、丸鋸刃３、傾斜機構を有する。
【００１６】
ベース１は建築物の床面上に載置される。ベース１の底面１ａは平坦であり、床面を安定した状態で摺動できる。ベース１の側面１ｂは、底面１ａに直交し、例えば壁案内面として機能する。作業者はこの側面１ｂを構造物の壁面に接触させて、丸鋸を壁面に沿って移動させる。床面を切断する際に傾斜された丸鋸刃３が側面１ｂに当たらないように、側面１ｂは前後方向の両端に分離されている。
【００１７】
ベース１上には、駆動ユニット２に接続される丸鋸刃３が回転可能に設けられる。駆動ユニット２は、モータケース、ギヤケース、これらのケースに収容されるモータ９、ギヤ（不図示）等から構成され、ギヤケースから突出する出力軸を有する。出力軸の先端に丸鋸刃３が取付けられる。
【００１８】
丸鋸刃３の正面側はソーカバ４で覆われ、裏面側はセーフティカバ５で覆われる。セーフティカバ５はベース１に固定された角度調整板６に傾斜支点軸７，７を介して連結される。この傾斜支点軸７，７の中心線はベース１の底面１ａに平行である。ソーカバ４及びセーフティカバ５は、丸鋸刃３と共にベース１の底面１ａと直交し且つ丸鋸刃３の回転中心線３ａが含まれる基準面Ｐ（図２参照）に沿って傾斜可能である。
【００１９】
角度調整板６には円弧状の長孔６ａが明けられ、この長孔６ａには締結機構９が貫通する。締結機構９のレバー９ａを緩めると、角度調整板６に対してセーフティカバ５と共に丸鋸刃３が傾斜支点軸７を中心にして傾斜可能になる。レバー９ａを締めると角度調整板６に対する丸鋸刃３の傾斜角度が固定される。これら角度調整板６、傾斜支点軸７、締結機構９が傾斜機構を構成する。
【００２０】
セーフティカバ５には、丸鋸刃３と共に傾斜する傾斜部材としてのサポータ１０が固定される。丸鋸刃３をソーカバ４及びセーフティカバ５から出没させることができるように、サポータ１０には駆動ユニット２が支点軸１１を介して回動可能に連結される。すなわち駆動ユニット２は、丸鋸刃３が含まれる平面に沿って回転移動できるようにサポータ１０に連結される。駆動ユニット２には、サポータ１０の内部に設けられたスプリングによって上方に持ち上げる弾性力が付与される。作業者がスプリングの弾性力に抗して駆動ユニット２を押し下げれば、丸鋸刃３がソーカバ４及びセーフティカバ５の下端部の開口から出没する。
【００２１】
丸鋸は、基準位置に対する丸鋸刃３の位置を、丸鋸刃３の傾斜に連動して表示する位置表示部１５を備える。位置表示部１５は、サポータ１０に設けられる指針１４と、角度調整板６に設けられた位置表示目盛１３とで構成される。角度調整板６には円弧状の表示用長孔６ｂが形成され、位置表示目盛１３は長孔６ｂの一方の側（図３中長孔６ｂの左側）に形成される。指針１４は表示用長孔６ｂに沿って移動する。指針が指す位置表示目盛１３は、基準位置としてのベース１の側面１ｂから丸鋸刃３（正確にはベース１の底面１ａから突出する丸鋸刃３）までの距離を表す。
【００２２】
長孔６ｂの他方の側（図３中長孔６ｂの右側）には、角度表示目盛１６が形成される。この角度表示目盛１６は上述の指針１４と共に、基準角度に対する丸鋸刃３の角度を丸鋸刃３の傾斜に連動して表示する角度表示部１７を構成する。指針１４が指す角度表示目盛１６は、基準角度としての、丸鋸刃３がベース１の底面１ａに対して直交する角度からの丸鋸刃３の傾き角度を表す。ここで位置表示部１５の指針１４と角度表示部１７の指針１４とは兼用されている。
【００２３】
本実施形態の丸鋸はこの他にも、ベース１の底面１ａからの丸鋸刃３の突出量を調整する切り込み深さ調整機構、丸鋸刃３がソーカバ４及びセーフティカバ５に収容された状態において、駆動ユニット２をソーカバ４及びセーフティカバ５にロックさせるロックレバ１８を備える。切り込み深さ調整機構は例えば、セーフティカバ５側に設けられたストッパと、駆動ユニット２側に設けられ、ストッパに当接可能な当接部と、切り込み量を表示する切込み量表示部とで構成される。
【００２４】
図４ないし図６はベース１に対して丸鋸刃３の傾斜角度を調整した例を示す。図４は、床面に直交する切断面を得るために丸鋸刃３をベース１の底面１ａと直交させた状態を示す。この場合位置表示部１５は、ベース１の側面１ｂ（すなわち壁面）からの丸鋸刃の距離Ｘが例えば７．５ｍｍであることを表し、角度表示部１７は丸鋸刃３の傾斜角度が０°であることを表す。
【００２５】
図５は、丸鋸刃３が壁際を切断できるように、丸鋸刃３の下端部が左側に位置するように左傾斜させた状態を示す。この場合位置表示部１５は、ベース１の側面１ｂ（すなわち壁面）から丸鋸刃３までの距離が０ｍｍであることを表し、角度表示部１７は丸鋸刃３の傾斜角度が左傾斜方向に例えば１２°であることを表す。
【００２６】
図６は、丸鋸刃３の下端部が右側に位置するように右傾斜させた状態を示す。右傾斜させるとソーカバ４の上端が壁に当たることになる。このためこの右傾斜は、定規を用いて壁からスペースを空けて床面を切断する場合などに行なわれる。位置表示部１５は、ベースの側面１ｂからの丸鋸刃の距離Ｘが例えば１５ｍｍであることを表し、角度表示部１７は丸鋸刃３の傾斜角度が右傾斜方向に例えば１２°であることを表す。
【００２７】
図７ないし図９は上記実施形態の丸鋸に補助定規を取付けた例を示す。図７は丸鋸の平面図を示し、図８は正面図を示し、図９は側面図を示す。補助定規１９はベース１にスライド可能に取付けられる一対のガイドバー２０，２０と、ガイドバー２０，２０の先端に設けられる案内部２１とから構成される。ガイドバー２０，２０はベース１に対してスライド可能であり、ねじ機構２２によってベース１に固定される。案内部２１はベース１の側面１ｂと平行な案内面２１ａを有し、壁面に沿って移動される。この補助定規１９は壁面からスペースを空けて床面を切断する場合に好適に用いられる。丸鋸の構成については上記実施形態と同様なので同一の符号を附してその説明を省略する。
【００２８】
図１０は位置表示部及び角度表示部の他の例を示す。上記実施形態では、指針１４をサポータ１０側に設け、目盛１３，１６を角度調整板６側に設けたが、この例ではこれとは逆に指針１４ａ，１４ｂを角度調整板側６に設け、目盛１３，１６をサポータ１０側に設けている。角度調整板６には円弧状の長孔６ｃが形成され、長孔６ｃの両側に一対の指針１４ａ，１４ｂが設けられる。サポータ１０には位置表示目盛１３及び角度表示目盛１６が設けられ、これらの目盛１３，１６は外部から長孔６ｃを介して目視できるようになっている。丸鋸刃３を傾斜させると、サポータ１０と共に目盛１３，１６も傾斜する。指針１４ａ，１４ｂはベース側に固定されているので移動することがない。一方の指針１４ａが指す位置表示目盛１３がベース１の側面１ｂから丸鋸刃３までの距離を表し、他方の指針１４ｂが指す角度表示目盛１６が丸鋸刃３の傾斜角度を表す。
【００２９】
なお本発明は上記実施形態に限られることなく、本発明の要旨を変更しない範囲で種々変更可能である。上記実施形態では、ソーカバ及びセーフティカバに対し、駆動ユニットのみが上下方向に回動するタイプの際切断用の丸鋸について説明したが、一般的な丸鋸についても本発明は適用できる。一般的な丸鋸では、丸鋸刃を回転駆動させる駆動ユニットがソーカバ及びセーフティカバに結合され、ベースに対して駆動ユニット、ソーカバ及びセーフティカバが回動する構成になっている。このような丸鋸では壁際ぎりぎりの床面を切断することはできないが、壁面から所定距離だけ離れた床面を切断することができる。
【図面の簡単な説明】
【００３０】
【図１】本発明の一実施形態における丸鋸を示す平面図。
【図２】丸鋸の正面図。
【図３】丸鋸の側面図。
【図４】丸鋸の側面図（丸鋸刃をベースの底面と直交させた状態）。
【図５】丸鋸の側面図（丸鋸刃の下端部が左側に位置するように左傾斜させた状態）。
【図６】丸鋸の側面図（丸鋸刃の下端部が右側に位置するように右傾斜させた状態）。
【図７】補助定規を取付けた丸鋸を示す平面図。
【図８】補助定規を取付けた丸鋸の正面図。
【図９】補助定規を取付けた丸鋸の側面図。
【図１０】丸鋸の側面図（位置表示部及び角度表示部の他の例を示す）。
【符号の説明】
【００３１】
１…ベース
１ａ…ベースの底面
１ｂ…ベースの側面
３…丸鋸刃
３ａ…丸鋸刃の回転中心線
６…角度調整板（傾斜機構）
７…傾斜支点軸（傾斜機構）
９…締結機構（傾斜機構）
１０…サポータ（傾斜部材）
１３…位置表示目盛
１４…指針
１５…位置表示部
１７…角度表示部
Ｐ…基準面
Ｘ…距離
【図１】
2005074797.tif 000003
【図２】
2005074797.tif 000004
【図３】
2005074797.tif 000005
【図４】
2005074797.tif 000006
【図５】
2005074797.tif 000007
【図６】
2005074797.tif 000008
【図７】
2005074797.tif 000009
【図８】
2005074797.tif 000010
【図９】
2005074797.tif 000011
【図１０】
2005074797.tif 000012